(57)【要約】【課題】アンカーボルトの施工精度を向上でき、しかも高さ位置の調整作業が容易な鉄骨柱用のアンカーポスト及びその組立方法を提供する。【解決手段】施工面に固定設置されるベース板３と、ベース板３を施工面に対してレベル調整するレベル調整手段４と、ベース板３の上方に設けた断面Ｈ形状の昇降ポスト５と、昇降ポスト５をベース板に対して上下方向にのみ高さ調整可能に固定するガイド手段６及び高さ調整手段７と、昇降ポスト５に側方へ突出状に設けた少なくとも上下２枚の定着板８と、昇降ポスト５の側方位置において上下の定着板８に固定支持したアンカーボルト９と、昇降ポストの頂部に螺合した天端レベル調整ボルト１０とを備えた。【選択図】  図２
2004169510.tif 000002
【特許請求の範囲】
【請求項１】
施工面に固定設置されるベース板と、
前記ベース板を施工面に対してレベル調整するレベル調整手段と、
前記ベース板の上方に設けた断面Ｈ形状の昇降ポストと、
前記昇降ポストをベース板に対して上下方向にのみ高さ調整可能に固定するガイド手段及び高さ調整手段と、
前記昇降ポストに側方へ突出状に設けた少なくとも上下２枚の定着板と、
前記昇降ポストの側方位置において上下の定着板に固定支持したアンカーボルトと、
前記昇降ポストの頂部に螺合した天端レベル調整ボルトと、
を備えたことを特徴とする鉄骨柱用のアンカーポスト。
【請求項２】
前記高さ調整手段として、ベース板と昇降ポストの一方にレベル調整用螺軸を上下方向に固定し、他方にレベル調整用螺軸が挿通するスリーブを上下方向に固定し、レベル調整用螺軸の途中部に調整ナットを螺合させ、レベル調整用螺軸に対する調整ナットの位置を調整して高さ調整する高さ調整手段を用いた請求項１記載の鉄骨柱用のアンカーポスト。
【請求項３】
前記ベース板に断面Ｈ形状の固定ポストを立設固定し、この固定ポストに対して昇降ポストを高さ調整可能に組付けた請求項１記載の鉄骨柱用のアンカーポスト。
【請求項４】
請求項１〜３のいずれか１項記載の鉄骨柱用のアンカーポストの組立方法であって、
ベース板を施工面に対してレベル調整手段でレベル調整しながら固定し、
次に昇降ポストをガイド手段で上下方向にのみ案内しながら高さ調整手段で高さ調整して固定し、
最後に天端レベル調整ボルトの螺進量を調整して天端レベル調整ボルトの高さを調整する、
ことを特徴とする鉄骨柱用のアンカーポストの組立方法。
【発明の詳細な説明】
【０００１】
【発明の属する技術分野】
本発明は、鉄骨柱のアンカーボルトを精度良くセットし、鉄骨柱の建方をスムーズに行うための鉄骨柱用のアンカーポスト及びその組立方法に関する。
【０００２】
【従来の技術】
鉄骨柱用のアンカーポストとして、基礎に対して位置決め固定する脚柱ベースより脚柱を立設した支持部材と、前記脚柱に外嵌させてスライド自在とした筒体を用いたフレーム支柱に、アンカーボルトを挿入可能な支持孔を有する支持フレームを、少なくとも２枚上下に離間して並行配設した保持部材と、前記脚柱に外嵌させてスライド自在とした筒状の高さ調整固定金具に固定ボルトを螺合させて螺合力により脚柱に対して固定可能とした止め手段と、アンカーボルトと、前記の上下の支持フレームの支持孔にアンカーボルトを挿入させて立起保持させた状態で、支持フレームより上方の位置でアンカーボルトに止めバンドを外嵌して取り付ける仮止め手段とよりなるものが知られている（例えば、特許文献１参照。）。
【０００３】
【特許文献１】
登録実用新案第２６０２４１３号公報（第１、３頁、図１、図５）
【０００４】
【発明が解決しようとする課題】
前記特許文献１で見られるように、従来のアンカーポストでは、筒状の脚柱及びフレーム支柱を用いているが、脚柱及びフレーム支柱の内部は中空に構成される関係上、アンカーポスト周辺のコンクリート量を十分に確保するため、アンカーボルトを支持する脚柱及びフレーム支柱を比較的小径に構成する必要があり、コンクリート打設時の衝撃や打設したコンクリートの荷重で、脚柱及びフレーム支柱が荷重に十分耐えきれない恐れがあった。
【０００５】
特に近年における建築物の大型化にともなって、コンクリートの打設量が多くなり、前述のような構成のアンカーポストでは十分な施工精度が得られなくなりつつある。しかも、建築物の外装材の高意匠化にともなって、工場等で精度良く製作した外装材が広く採用されることが多くなり、アンカーボルトの施工精度に対する要求が厳しくなっていることからも、アンカーボルトの施工精度を向上し得るアンカーポストが要望されていた。
【０００６】
また、脚柱に対するフレーム支柱の高さは、脚柱にスライド自在に外嵌させた調整固定金具に側方より固定ボルトを螺合して、固定ボルトの端部を脚柱に係合させることにより行うか、支持フレームに固定ボルトを直接的に螺合させて、固定ボルトの端部を脚柱に係合させて行っている。しかしこのような方法でフレーム支持脚を脚柱に固定すると、フレーム支柱の高さを調整した後、固定ボルトを締め付けるときに、フレーム支柱がずれないように手で保持しながら固定ボルトを締め付ける必要があり、固定ボルトの締め付け作業が煩雑になるとともに、固定ボルトの締め付け時に手が滑ってフレーム支柱の高さが微妙に狂ってしまうと云う問題があった。
【０００７】
本発明の目的は、アンカーボルトの施工精度を向上でき、しかも高さ位置の調整作業が容易な鉄骨柱用のアンカーポスト及びその組立方法を提供することである。
【０００８】
【課題を解決するための手段及びその作用】
本発明に係る鉄骨柱用のアンカーポストは、施工面に固定設置されるベース板と、前記ベース板を施工面に対してレベル調整するレベル調整手段と、前記ベース板の上方に設けた断面Ｈ形状の昇降ポストと、前記昇降ポストをベース板に対して上下方向にのみ高さ調整可能に固定するガイド手段及び高さ調整手段と、前記昇降ポストに側方へ突出状に設けた少なくとも上下２枚の定着板と、前記昇降ポストの側方位置において上下の定着板に固定支持したアンカーボルトと、前記昇降ポストの頂部に螺合した天端レベル調整ボルトとを備えたものである。
【０００９】
このアンカーポストにおいては、ベース板を施工面に対してレベル調整手段でレベル調整しながら固定し、次に昇降ポストをガイド手段で上下方向にのみ案内しながら高さ調整手段で高さ調整して固定し、最後にコンクリートの打設後に天端レベル調整ボルトの螺進量を調整して天端レベル調整ボルトの上端部の高さを調整してから、天端レベル調整ボルト上に鉄骨柱の下端を当接させて載置して鉄骨柱の下端をアンカーボルトに固定することになる。つまり３段階で天端レベル調整ボルトのレベル調整を行うので、天端レベル調整ボルトの高さを無理なく高精度にレベル調整できる。
【００１０】
また、昇降ポストとして断面Ｈ形状のものを用いているので、昇降ポストが内部に空間を残すことなく、略隙間なくコンクリートに埋設されることになり基礎の強度低下を防止しつつ、昇降ポストの強度を高めてコンクリート打設時の衝撃や打設したコンクリートの荷重により昇降ポストが傾くことを効果的に防止できる。また、昇降ポストの強度が向上することからアンカーポストの取付強度も一層向上できる。しかも、このような断面Ｈ形状の昇降ポストは、Ｈ型鋼で構成したり、２本のみぞ形鋼をそのウェブ部を背中合わせにして溶接やボルト等により固定したものなどで構成でき、容易に且つ安価に入手可能なので、アンカーポストの製作コストが高くなることもない。
【００１１】
ここで、前記高さ調整手段として、ベース板と昇降ポストの一方にレベル調整用螺軸を上下方向に固定し、他方にレベル調整用螺軸が挿通するスリーブを上下方向に固定し、レベル調整用螺軸の途中部に調整ナットを螺合させ、レベル調整用螺軸に対する調整ナットの位置を調整して高さ調整する高さ調整手段を用いてもよい。この場合には、昇降ポストの荷重を調整ナットで受け止めながら、調整ナットを操作して昇降ポストの高さを調整できるので、昇降ポストの高さ調整の作業が容易になり、しかも高さ精度を向上できる。
【００１２】
前記ベース板に断面Ｈ形状の固定ポストを立設固定し、この固定ポストに対して昇降ポストを高さ調整可能に組付けてもよい。この場合には、アンカーポストの基本構成を変更したり強度を低下させたりすることなく、天端レベル調整ボルトの高さを容易に高く設定できる。
【００１３】
本発明に係る鉄骨柱用のアンカーポストの組立方法は、請求項１〜３のいずれか１項記載の鉄骨柱用のアンカーポストの組立方法であって、ベース板を施工面に対してレベル調整手段でレベル調整しながら固定し、次に昇降ポストをガイド手段で上下方向にのみ案内しながら高さ調整手段で高さ調整して固定し、最後に天端レベル調整ボルトの螺進量を調整して天端レベル調整ボルトの高さを調整するものである。
【００１４】
【発明の実施の形態】
以下、本発明の実施の形態について、図面を参照しながら説明する。
図１〜図４に示すように、この鉄骨柱用のアンカーポスト１は、捨てコンクリート２上の施工面に固定設置されるベース板３と、ベース板３を施工面に対してレベル調整するレベル調整手段４と、ベース板３の上方に設けたＨ形鋼からなる昇降ポスト５と、昇降ポスト５をベース板３に対して上下方向にのみ高さ調整可能に固定するガイド手段６及び高さ調整手段７と、昇降ポスト５に側方へ突出状に設けた少なくとも上下２枚の定着板８と、昇降ポスト５の側方位置において上下の定着板に固定支持したアンカーボルト９と、昇降ポスト５の頂部に螺合した天端レベル調整ボルト１０とを備えている。
【００１５】
レベル調整手段４について説明すると、ベース板３の４つの辺の略中央部付近には下端部が施工面側へ突出する調整ボルト１１が螺合され、この調整ボルト１１の施工面側への突出量を調整することで、ベース板３の水平面度を調整できるように構成されている。ベース板３としては、製作が容易なことから、平面視で略正方形状の金属板からなるものを採用することが好ましいが、長方形状や円形状など任意の形状のものを採用できる。また、調整ボルト１１の本数は、３本以上であれば任意の本数設けることが可能であるし、調整ボルト１１のうちの１本をベース板３に固定的に取り付けた固定ピンで構成することも可能である。
【００１６】
施工面にはベース板３の四隅に対応させて４つの取付孔１２が形成され、これら４つの取付孔１２にはアンカー部材１３が固定ボルト１４を上方へ突出させて装着固定されている。ベース板３は、その四隅に形成した貫通孔（図示略）に固定ボルト１４を挿通させて施工面上に載せた状態で、レベル調整手段４の４本の調整ボルト１１を回転操作してレベル調整しながら、固定ボルト１４にナット部材１５を締結することで、略水平に施工面に固定されている。取付孔１２及びアンカー部材１３の個数や配設位置は任意に設定可能である。また、アンカー部材１３として、固定ボルト１４に代えてネジ孔を有し、ボルト部材を締結可能なものを採用してもよい。
【００１７】
ガイド手段６について説明すると、ベース板３の中央部にはＨ形鋼からなる固定ポスト１６が溶接にて立設状に固定され、固定ポスト１６の左右のフランジ部１６ａの外側面には上方へ延びるガイド板１７が２本のボルト部材１８及びナット部材１９でそれぞれ固定され、ガイド板１７の上部には上下方向へ延びる前後１対の長孔状のガイド孔２０がそれぞれ形成されている。昇降ポスト５の左右のフランジ部５ａの下端近傍部にはガイド孔２０に対応させて前後１対の貫通孔２１がそれぞれ形成され、昇降ポスト５はガイド孔２０及び貫通孔２１を挿通して締結したボルト部材２２及びナット部材２３により上下方向へスライド可能に固定されている。
【００１８】
高さ調整手段７について説明すると、固定ポスト１６のウェブ部１６ｂの幅方向の途中部には上端を開放した上下方向へ延びるスリット２５が形成され、スリット２５にはレベル調整用螺軸２６が上方へ突出状に装着されて固定ポスト１６に溶接固定されている。昇降ポスト５のウェブ部５ｂの幅方向の途中部には下端を開放したスリット２７が形成され、スリット２７にはレベル調整用螺軸２６が挿通するスリーブ２８が昇降ポスト５に上下方向に溶接固定されている。レベル調整用螺軸２６の途中部には調整ナット２９が螺合され、昇降ポスト５はレベル調整用螺軸２６をスリーブ２８に装着し、スリーブ２８の下端が調整ナット２９で受け止められて支持された状態で、調整ナット２９の螺合位置を調整することで、高さ調整できるように構成されている。但し、レベル調整用螺軸２６を昇降ポスト５側に固定し、スリーブ２８を固定ポスト１６側に固定してもよいし、螺合関係を介して高さ調整できるものであれば、任意の構成のものを採用することが可能である。
【００１９】
昇降ポスト５の前後両側には側面視略Ｌ形の１対の定着板８が上下に間隔をあけてそれぞれ固定され、定着板８の水平壁部には左右１対の挿通孔３０がそれぞれ形成され、上下の挿通孔３０にはアンカーボルト９がそれぞれ挿通され、各アンカーボルト９は下端部に定着板８の水平壁部を挟んで螺合させた上下１対のナット部材３１により下側の定着板８に固定されている。
【００２０】
昇降ポスト５の上端部のウェブ部５ｂの幅方向の途中部にはスリット３８が形成され、スリット３８にはスリーブ３２が上下方向に溶接固定され、スリーブ３２には上方へ突出するように天端レベル調整ボルト１０が装着され、天端レベル調整ボルト１０の途中部には調整ナット３４が螺合され、調整ナット３４はスリーブ３２の上端部に当接され、調整ナット３４の螺合位置により天端レベル調整ボルト１０の高さ位置を調整できるように構成されている。
【００２１】
次に、前記アンカーポスト１の組立方法について説明すると、
先ず、捨てコンクリート２におけるアンカーポスト１の施工位置に４つの取付孔１２を形成し、この取付孔１２にアンカー部材１３を固定する。
【００２２】
次に、アンカー部材１３の固定ボルト１４にベース板３を組み付けた状態で、レベル調整手段４の４本の調整ボルト１１を回転操作してベース板３の水平レベルを調整しながら、固定ボルト１４にナット部材１５を締結して、ベース板３を施工面に固定する。
【００２３】
次に、ベース板３に溶接固定した固定ポスト１６の左右のフランジ部１６ａの外面側にガイド板１７をそれぞれ固定して、昇降ポスト５を固定ポスト１６の上方より下降させて、昇降ポスト５のスリーブ２８にレベル調整用螺軸２６を挿通させるとともに、昇降ポスト５の下端部をガイド板１７間に配置させ、固定ポスト１６に昇降ポスト５を取り付ける。
【００２４】
次に、調整ナット２９を操作して、レベル調整用螺軸２６の高さが設定高さになるように調整してから、ボルト部材２２及びナット部材２３で昇降ポスト５をガイド板１７に固定する。このとき昇降ポスト５を手で支持することなくボルト部材２２にナット部材２３を締結できるので、１人の作業者で容易に昇降ポスト５のレベル調整及び固定が可能となる。また、昇降ポスト５から手を放しても昇降ポスト５の高さ位置が変わることがないので、昇降ポスト５を適正な高さ位置に正確に固定できる。
【００２５】
次に、上下の定着板８にアンカーボルト９を取り付けてから、コンクリートを打設する。本発明では、昇降ポスト５及び固定ポスト１６をＨ形鋼で構成しているので、昇降ポスト５及び固定ポスト１６は打設したコンクリートに略隙間なく埋設されることになる。また、昇降ポスト５及び固定ポスト１６をＨ形鋼で構成することによりアンカーポスト１の強度剛性が高められ、コンクリートの打設時の衝撃や打設したコンクリートの荷重によりアンカーポスト１が傾いたり倒れたりするという不具合を効果的に防止することが可能となる。尚、上下の定着板８にアンカーボルト９を取り付けた状態で、昇降ポスト５をガイド板１７にレベル調整しながら固定してもよい。
【００２６】
次に、コンクリートの固化後に、天端レベル調整ボルト１０が適正な高さレベルになるように調整ナット３４を調整してから、天端レベル調整ボルト１０上に鉄骨柱３５を載置して、アンカーボルト９で鉄骨柱３５を座金３６を介してナット部材３７で固定することになる。このように、調整ボルト１１の調整と調整ナット２９の調整と調整ナット３４の調整の３段階で天端レベル調整ボルト１０をレベル調整するので、天端レベル調整ボルト１０の高さ位置を無理なく高精度に調整することが可能となる。
【００２７】
尚、図５、図６に示すアンカーポスト１Ａのように、固定ポスト１６を省略して、ガイド板１７をベース板３に溶接やボルト等により直接固定するとともに、レベル調整用螺軸２６の下端部をベース板３の略中央部に溶接等により固定してもよい。このようなアンカーポスト１Ａは、捨てコンクリート２に施工することも可能であるが、アンカーポスト１よりも高さが低くなることから、図５に示すように、捨てコンクリート２から上方へ突出する杭４０の上端部に施工するのに好適である。
【００２８】
尚、本実施例では、昇降ポスト５及び固定ポスト１６をＨ形鋼で構成したが、断面Ｈ形状であれば任意の構成のものを採用できる。例えば、断面略コ字状のみぞ形鋼を２本用い、両みぞ型鋼のウェブ部を背中合わせに組み合わせて溶接やボルトで一体化させたものを用いてもよい。また、この場合には、スリット２５、２７、３８を形成する代わりに、みぞ型鋼のウェブ部の幅方向の途中部に略半円筒状の保持部を形成し、組み合わせたみぞ型鋼の保持部間にスリーブ２８、３２やレベル調整用螺軸２６を挟持させてもよい。
【００２９】
【発明の効果】
本発明に係る鉄骨柱用のアンカーポスト及びその組立方法によれば、３段階で天端レベル調整ボルトのレベル調整を行えるので、天端レベル調整ボルトの高さを無理なく高精度にレベル調整できる。昇降ポストをＨ型鋼で構成しているので、昇降ポストが略隙間なくコンクリートに埋設されることになり、アンカーポスト周辺に十分にコンクリートを配置させて基礎の強度低下を防止しつつ、昇降ポストの強度を高めてコンクリート打設時の衝撃や打設したコンクリートの荷重により昇降ポストが傾くことを効果的に防止できる。また、昇降ポストの強度が向上することからアンカーポストの取付強度も一層向上できる。しかも、このようなＨ型鋼は容易に且つ安価に入手可能なので、アンカーポストの製作コストが高くなることもない。
【００３０】
ここで、高さ調整手段として、レベル調整用螺軸とスリーブと調整ナットを有するものを用いると、昇降ポストの荷重を調整ナットで受け止めながら、調整ナットを操作して昇降ポストの高さを調整できるので、昇降ポストの高さ調整の作業が容易になり、しかも高さの精度を向上できる。
【００３１】
ベース板に断面Ｈ形状の固定ポストを立設固定し、この固定ポストに対して昇降ポストを高さ調整可能に組付けると、アンカーポストの基本構成を変更したり強度を低下させたりすることなく、天端レベル調整ボルトの高さを容易に高く設定できる。
【図面の簡単な説明】
【図１】アンカーポストの施工状態の説明図
【図２】アンカーポストの斜視図
【図３】アンカーポストの一部を切り欠いた正面図
【図４】アンカーポストの側面図
【図５】他の構成のアンカーポストの施工状態の説明図
【図６】同アンカーポストの一部を切り欠いた正面図
【符号の説明】
１      アンカーポスト    ２      コンクリート
３      ベース板          ４      レベル調整手段
５      昇降ポスト        ５ａ    フランジ部
５ｂ    ウェブ部          ６      ガイド手段
７      高さ調整手段      ８      定着板
９      アンカーボルト    １０    天端レベル調整ボルト
１１    調整ボルト        １２    取付孔
１３    アンカー部材      １４    固定ボルト
１５    ナット部材        １６    固定ポスト
１６ａ  フランジ部        １６ｂ  ウェブ部
１７    ガイド板          １８    ボルト部材
１９    ナット部材        ２０    ガイド孔
２１    貫通孔            ２２    ボルト部材
２３    ナット部材        ２５    スリット
２６    レベル調整用螺軸  ２７    スリット
２８    スリーブ          ２９    調整ナット
３０    挿通孔            ３１    ナット部材
３２    スリーブ          ３４    調整ナット
３５    鉄骨柱            ３６    座金
３７    ナット部材        ３８    スリット
４０    杭                １Ａ    アンカーポスト
【図１】
2004169510.tif 000003
【図２】
2004169510.tif 000004
【図３】
2004169510.tif 000005
【図４】
2004169510.tif 000006
【図５】
2004169510.tif 000007
【図６】
2004169510.tif 000008